(57)【要約】【課題】本考案は收納袋の構造強度を強化した収納手提げ袋を提供する。【解決手段】袋体の開口の対向する両側に、折り曲げ線によって前記袋体に対して折り曲げられる手提げ部が連結され、手提げ部には固定部材が設けられ、前記袋体の対向する両側には、少なくとも一つの支持棒が設けられる。前記袋体を開いた時、袋体の折り曲げ線によって、前記二つの手提げ部を相互に折り曲げて重ねて袋体開口の上端を覆うことができる。さらに、手提げ部に設けられたた固定部材を相互に連結・固定させて投入口を備える收納袋を形成させることにより、相互に重ねられて袋体を覆っている手提げ部が下に落ちてしまうのを避けることができるとともに、支持棒の上端面が前記手提げ部を支持することにより、袋体が更に安定する。また、前記袋体は折り畳んで平らな状態にすることで、収納に便利になる。【選択図】図２
0003172341.tif 000002
【実用新案登録請求の範囲】
【請求項１】
上方に開口を有する袋体を備える収納手提げ袋であって、
前記開口の対向する両側には、前記袋体に対して折り曲げられる手提げ部が連結され、前記手提げ部の下縁に近い前記袋体には折り曲げ線が設けられ、それにより、前記袋体を開いた時、前記二つの手提げ部を相互に折り曲げて重ねて袋体開口の上端を覆うことができ、
手提げ部を備える前記袋体の対向する両側には、少なくとも一つの支持棒が設けられ、前記支持棒は、前記手提げ部の下方の中間位置に設けられ、前記支持棒の長さは、前記袋体の底面から前記手提げ部の下縁までに等しいとともに、前記支持棒の上端は前記折り曲げ線を越えず、
それにより、前記二つの手提げ部を相互に折り曲げて袋体開口上端を覆った時、前記支持棒の上端面は前記手提げ部の下縁に当接し、前記手提げ部は支持されることを特徴とする、収納手提げ袋。
【請求項２】
前記支持棒は、前記袋体の両側内に被覆・固定されることを特徴とする、請求項１に記載の収納手提げ袋。
【請求項３】
前記二つの手提げ部には、相互に連結可能な固定部材がそれぞれ設けられることを特徴とする、請求項１に記載の収納手提げ袋。
【考案の詳細な説明】
【技術分野】
【０００１】
本考案は、物品の収容或いは資源回収に使用できる収納手提げ袋に関する。
【背景技術】
【０００２】
一般的な従来の手提げ袋の構造は、大部分が、袋体上方の開口の両側に、手提げ部が設けられており、使用者は物品を袋体に入れた後、手提げ部を介して手提げを行う。しかしながら、この従来の手提げ袋の機能は、単純に、物品を入れて持ち運ぶ機能しかない。
【０００３】
環境保護が重視されている現代社会において、各個人が自主的に資源の回収を行わなければならないという考えは、すでに共通認識となっている。現在、資源の分類回収方法は、一般的に、公共の場所に複数種類の回収箱が置かれ、各回收箱には、回收する物品の種類を示す文字や図柄が設けられている。しかしながら  一般的な家庭は、室内空間に限りがあり、収納に不便であるため、或いは、その他の理由により、構造が簡単で、携帯が便利で、複合的な使用機能をもつ回収装置が必要とされている。
【０００４】
日本実用新案第３１５６１２３号には、前記の問題を解決する考案が開示されている。その特徴は、一般的な手提げ袋の構造を基礎にして、さらに袋体の支持効果を強化しており、袋体に結合された手提げ部を折り曲げて袋体上端を覆う機能と、異なる磁極の磁性環状リング構造により、袋体を開くと収納体を形成させることができる。即ち、袋体の手提げ部を折り曲げて袋体上端を覆い、二つの磁性環状リングを吸着・固定させて投入口を備える袋体を形成させる。投入口を設けることにより、使用者は、回收物品を前記投入口から袋体内に投入して、回收袋として使用することができ、袋体内の回收物品が満タンになった時、手提げ部を元通りにするだけで、回收袋を持ちだし、回收物に対して適切な処理を行うことができる。
【０００５】
しかしながら、前述した日本実用新案第３１５６１２３号の袋体は、手提げ部を折り曲げて袋体開口の上端を覆った時、袋体の手提げ部に対する支持力の不足により落ちてしまいやすいため、改良の必要がある。
【先行技術文献】
【特許文献】
【０００６】
【特許文献１】日本実用新案第３１５６１２３号明細書
【考案の概要】
【考案が解決しようとする課題】
【０００７】
本考案は、日本実用新案第３１５６１２３号の欠点である、袋体に設けられた手提げ部を折り曲げて袋体開口の上端を覆った時、袋体の手提げ部に対する支持力の不足により落ちてしまいやすいという問題を解決する。
【０００８】
そこで、本考案は、日本実用新案第３１５６１２３号を基礎として、さらに、袋体の対向する両側に支持棒を設けることにより、手提げ部を袋体に対して折り曲げ袋体開口を覆った時、手提げ部は支持棒の上端面に支持され、手提げ部が落ちてしまうことがなくなる、收納袋の構造強度を強化した収納手提げ袋を提供することを目的とする。
【課題を解決するための手段】
【０００９】
本考案による収納手提げ袋は、上方に開口を有する袋体を備える。前記開口の対向する両側には、前記袋体に対して折り曲げられる手提げ部が連結され、前記手提げ部の下縁に近い前記袋体には折り曲げ線が設けられ、それにより、前記袋体を開いた時、前記二つの手提げ部を相互に折り曲げて重ねて袋体開口の上端を覆うことができる。手提げ部を備える前記袋体の対向する両側には、少なくとも一つの支持棒が設けられ、前記支持棒は、前記手提げ部の下方の中間位置に設けられ、前記支持棒の長さは、前記袋体の底面から前記手提げ部の下縁までに等しいとともに、前記支持棒の上端は前記折り曲げ線を越えない。それにより、前記二つの手提げ部を相互に折り曲げて袋体開口上端を覆った時、前記支持棒の上端面は前記手提げ部の下縁に当接し、前記手提げ部は支持され、手提げ部が落ちてしまうことを防ぎ、収納袋の安定性を向上させることができる。
【００１０】
本考案では、前記支持棒は、袋体の対向する両側における手提げ部の下方の内側面に被覆されて固定される。
【００１１】
本考案では、前記二つの手提げ部には、相互に連結可能な固定部材がそれぞれ設けられる。それにより、手提げ部を袋体に対して折り曲げて袋体上端開口を覆った時、前記固定部材によって二つの手提げ部は固定される。
【００１２】
本考案の二つの手提げ部に設けられた固定部材は、磁石、或いは、面ファスナー、或いは、ボタンである。
【００１３】
本考案の袋体は、消費者の好みに応じて適切な形体に変えられる。
【図面の簡単な説明】
【００１４】
【図１】本考案の二つの手提げ部を合わせて平らな状態にした実施例を示した斜視図である。
【図２】本考案の二つの手提げ部を離して物品を入れた手提げ袋の実施例を示した斜視図である。
【図３】本考案の二つの手提げ部に面ファスナーを設けた実施例を示した斜視図である。
【図４】本考案の二つの手提げ部を合わせて収納袋として使用した実施例を示した斜視図である。
【図５】本考案の収納手提げ袋の二つの手提げ部を合わせてない時の構造の実施例を示した平面断面図である。
【図６】本考案の収納手提げ袋の手提げ部の内の一つを閉じた実施例を示した平面断面図である。
【図７】本考案の二つの手提げ部を両方閉じた実施例を示した平面断面図である。
【考案を実施するための形態】
【００１５】
図１と図２に示すように、本考案による収納手提げ袋の好ましい実施例は、上方に開口を有する袋体１を備え、前記開口の対向する両側には、それぞれ手提げ部１１が連結され、二つの手提げ部１１には、手提げに便利なように孔部１２がそれぞれ設けられるとともに、二つの手提げ部１１の対応する位置には、相互に連結可能な固定部材２が設けられ、固定部材２は、磁石にすることもできるし、俗称”マジックテープ（登録商標）”の面ファスナー（図３に図示）、或いは、ボタンにすることもでき、さらには、相互に連結・固定可能なその他の部材にすることもできる。手提げ部１１下縁に近い袋体１には折り曲げ線１３が形成され、折り曲げ線１３により手提げ部１１を袋体１に対して折り曲げることができる。袋体は、適度な強度とじん性をもつ材料からなるとともに、二つの層で挟みこむ構造であり、それにより、袋体１を開いて立体の形状にすることができる。例えば、本考案の実施例は、適度な厚さをもった布材を袋体の材料とすることができる。本考案は、さらに、手提げ部１１を備えた袋体１の対向する両側の中間位置に、少なくとも一つの支持棒３が設けられ、支持棒３は、機械或いは人の手によるミシン縫いによって袋体１の挟みこみ装の内部、或いは、袋体の内側面に固定される。支持棒３の長さは、袋体１底面から手提げ部１１下縁の距離に大体等しく、且つ、支持棒３の上端は折り曲げ線１３を超えていない。それにより、二つの手提げ部１１を袋体１に対して折り曲げて重ね合わせて水平状態を形成させた時、支持棒３の上端面は、ちょうど、手提げ部１１に当接し手提げ部１１が支持され、手提げ部１１が落ちてしまうがなくなり、開いた後の袋体を安定して固定させることができる。
【００１６】
本考案の袋体１は、消費者の好みに応じて適切な形体にすることができる。例えば、図１から図４に示す袋体１は、輪郭が円弧形を呈する袋体であり、その開口の両側には、硬い材質からなる円形の手提げ部１１がそれぞれ連結される。また、二つの手提げ部１１は、手提げをするための孔部１２を備え、手提げ部１１下縁に近い袋体１には、弧形の折り曲げ線１３が形成され、手提げ部１１は、折り曲げ線１３によって袋体１に対して折り曲げることができる。
【００１７】
図４、図６、図７を参照する。本考案を收納袋として使用する時は、袋体１を開いて立体形態にした後、さらに、手提げ部１１を折り曲げ線１３によって袋体１に対して折り曲げて水平状態を形成させ、袋体１の開口に置く。それにより、手提げ部１１は、対向する側の支持棒３に支持され、開口が開いたままになる（図６に図示）。その後、もう一方の手提げ部１１を、もう一方の折り曲げ線１３により袋体１に対して折り曲げて水平状態を形成させ、二つの手提げ部１１を重ねると、手提げ部１１は、対向するもう一方の支持棒３に支持される。さらに、二つの固定部材２を相互に連結させて固定させる（図７に図示）。例えば、磁石を相互に吸着させる方法や、面ファスナーを粘着させる方法や、ボタンを留める方法などがある。それにより、袋体１は收納袋を形成し、使用者は回收する物品を孔部１２から袋体内に入れ、集めて回収することができる。收納袋として使用しない時、二つの手提げ部１１を更に折り曲げて平らにすることで、しまっておくのに便利になる。
【符号の説明】
【００１８】
１      袋体
１１    手提げ部
１２    孔部
１３    折り曲げ線
２      固定部材
３      支持棒
【図１】
0003172341.tif 000003
【図２】
0003172341.tif 000004
【図３】
0003172341.tif 000005
【図４】
0003172341.tif 000006
【図５】
0003172341.tif 000007
【図６】
0003172341.tif 000008
【図７】
0003172341.tif 000009